(57)【特許請求の範囲】
【請求項１】
複数の付加画像を予め記憶し、読み取った原稿画像を印刷する際に前記予め記憶された複数の付加画像の中から印刷すべき付加画像を選択して前記原稿画像に付加して印刷する画像形成装置において、
前記付加画像が広告画像であって、
カラー印刷のモードが設定されている場合には、さらに、利用者によって設定されたカラー印刷の詳細モードに応じて、前記選択される付加画像の種類の変更が行われることを特徴とする画像形成装置。
【請求項２】
前記カラー印刷の詳細モードとして、所定の機能モードが設定され、
前記所定の機能モードに応じて、前記選択される付加画像の種類の変更が行われることを特徴とする請求項１に記載の画像形成装置。
【請求項３】
前記所定の機能モードは、通常モード、写真焼増しモード、拡大連写モード、およびブック分割モードから選択される複数のモードを含むことを特徴とする請求項２に記載の画像形成装置。
【請求項４】
前記カラー印刷の詳細モードとして、所定の原稿モードが設定され、
前記所定の原稿モードに応じて、前記選択される付加画像の種類の変更が行われることを特徴とする請求項１に記載の画像形成装置。
【請求項５】
前記所定の原稿モードには、文字、文字／写真、写真、地図の各モードから選択される複数のモードを含むことを特徴とする請求項４に記載の画像形成装置。
【請求項６】
利用者への情報を表示する表示部を有し、カラー画像の印刷が可能な画像形成装置において、
複数の広告画像が前記画像形成装置内に予め記憶されており、
カラー印刷のモードが設定されている場合に、さらに、利用者によって設定されたカラー印刷の詳細モードに応じた種類の広告画像を、前記予め記憶された複数の広告画像の中から選択し、前記表示部に表示することを特徴とする画像形成装置。
【請求項７】
前記表示部に前記カラー印刷の詳細モードに応じた種類の広告画像を複数表示し、当該複数の広告画像の中から印刷する広告画像の利用者による選択を受け付ける請求項６に記載の画像形成装置。
【発明の詳細な説明】
【０００１】
【発明の属する技術分野】
本発明は、読み取った原稿画像に広告画像である付加画像を印刷する場合において、コ
ピーを行ったユーザに対してのみならずコピーの配布先に対しても適切な広告効果を得ることができる画像形成装置に関する。
【０００２】
【従来の技術】
近年、複写機の普及に伴い、課金装置を備えた複写機がコンビニエンスストアなどに多数設置されるに至っている。このような場所に設置される複写機は不特定多数のユーザによって使用されるものであるため、コピーを行う場合に広告などの画像情報を付加して印刷すれば、広告主は、一定の広告効果を得ることが可能となる。
【０００３】
このような状況を踏まえ、読み取った原稿画像を用紙に印刷する際に生じる余白部分に広告画像を追加合成して印刷し得る複写機本体を備え、広告画像を付加してコピーしたか否かに応じて、ユーザと広告主のそれぞれに対して課金するようにした画像形成装置が種々提案されている。
【０００４】
この種の画像形成装置としては、保持されている複数の付加画像を時間または当該各装置の環境（設置場所など）に関するカテゴリーで分類する分類手段を具備し、送信すべき付加画像を選択する際に、付加画像の要求時刻または付加画像を要求した当該各装置の環境に対応したカテゴリー内の付加画像を自動的に選択することで、付加画像の内容に合致した時間または場所において該付加画像を合成出力し、もって大きな広告効果を効率的に行うことができるようにしたものが知られている（特開平８−２５６２５６号公報参照）。すなわち、この画像形成装置にあっては、印刷すべき広告内容を、時間または環境によって自動的に変更するようにしている。
【０００５】
【発明が解決しようとする課題】
しかしながら、上記公報に開示された画像形成装置にあっては、時間や環境に応じて印刷する広告画像を切り替えて、ユーザに合った広告画像を印刷するようにしているが、時間や環境といった条件は個々の具体的なユーザとの関連性が稀薄であるため、それだけではユーザに合った広告画像が常に選択できる可能性は少ない。むしろ、ユーザの年齢や性別、職業、趣味、興味の対象などをある程度特定できる条件がある場合には、それに適した広告を用意して提供することによって、広告効果をさらに高めることができるはずである。
【０００６】
また、コピーを行ったユーザ自身に対して適切な広告を印刷すれば効果的であるのはもちろんであるが、ユーザがコピーを配布するか否かをも考慮して、配布コピーの場合には、それぞれの配布先に同じセットの広告（別の原稿には別の広告）を印刷するようにすれば、コピーの配布先に対しても一定の適切な広告効果が得られるはずである。
【０００７】
本発明は、上記課題を解決するためになされたものであり、読み取った原稿画像に広告画像である付加画像を印刷する場合において、コピーを行ったユーザに対してのみならずコピーの配布先に対しても適切な広告効果を得ることができる画像形成装置を提供することを目的とする。
【０００８】
【課題を解決するための手段】
本発明の上記目的は、下記の手段によって達成される。
【００１２】
（１）本発明は、複数の付加画像を予め記憶し、読み取った原稿画像を印刷する際に前記予め記憶された複数の付加画像の中から印刷すべき付加画像を選択して前記原稿画像に付加して印刷する画像形成装置において、前記付加画像が広告画像であって、カラー印刷のモードが設定されている場合には、さらに、利用者によって設定されたカラー印刷の詳細モードに応じて、前記選択される付加画像の種類の変更が行われることを特徴とする。
（２）前記カラー印刷の詳細モードとして、所定の機能モードが設定され、前記所定の機能モードに応じて、前記選択される付加画像の種類の変更が行われる。
（３）前記所定の機能モードは、通常モード、写真焼増しモード、拡大連写モード、およびブック分割モードから選択される複数のモードを含む。
（４）前記カラー印刷の詳細モードとして、所定の原稿モードが設定され、前記所定の原稿モードに応じて、前記選択される付加画像の種類の変更が行われる。
（５）前記所定の原稿モードには、文字、文字／写真、写真、地図の各モードから選択される複数のモードを含む。
（６）本発明は、利用者への情報を表示する表示部を有し、カラー画像の印刷が可能な画像形成装置において、複数の広告画像が前記画像形成装置内に予め記憶されており、カラー印刷のモードが設定されている場合に、さらに、利用者によって設定されたカラー印刷の詳細モードに応じた種類の広告画像を、前記予め記憶された複数の広告画像の中から選択し、前記表示部に表示することを特徴とする。
（７）前記表示部に前記カラー印刷の詳細モードに応じた種類の広告画像を複数表示し、当該複数の広告画像の中から印刷する広告画像の利用者による選択を受け付ける。
【００１４】
【発明の実施の形態】
以下、図面を使って本発明の実施の形態を説明する。
【００１５】
図１は、本発明の一実施の形態に係る画像形成装置の全体構成を示す斜視図である。
【００１６】
この画像形成装置１０は、課金装置を備えコンビニエンスストアなどに設置されて不特定多数のユーザによって使用される課金装置付き複写機（または複写装置）であって、大別して、複写機本体１１と、ユーザに対して課金する課金装置１２とからなる。図示例の課金装置１２は、コインベンダーであり、ユーザ自身が課金装置１２に硬貨を投入し、複写機本体１１を操作することによって、原稿をコピーすることができる。
【００１７】
ここで、課金装置１２は、投入された金額を表示し、投入された金額に応じて複写機本体１１のコピー動作を許可し、コピー動作が行われると所定の金額を徴収して、表示金額を減算する。減算する金額は、コピーに使用する用紙サイズや設定される複写カラーモードなどによって異なる。また、課金装置１２は、コピー動作を行って減算された後の残金額が所定の金額以下となったときに複写機本体１１のコピー動作を不許可にする。そして、再び料金が投入されれば、複写機本体１１のコピー動作を再度許可する。このように、課金装置１２は、金額（使用料金や残金額）を管理しながら、複写機本体１１に対してコピー動作の許可／不許可を指示する機能を有している。
【００１８】
さらに説明すると、課金装置１２は、縦長の箱形状を有し、その上面には、コイン投入口１３と、コインの返却を行うコイン返却ボタン１４と、液晶ディスプレイなどからなり投入された金額や残金額を表示する金額表示部１５とが設けられ、前面には、コイン返却口１６が設けられている。この課金装置１２は、背面から引き出された中継コネクタ１７を介して複写機本体１１と接続されている。
【００１９】
複写機本体１１は、中継コネクタ１７を介して課金装置１２との間で相互に通信を行う。複写機本体１１からは、課金装置１２に対して、コピー動作中や給紙信号、排紙信号、サイズ、コピーモードなどの各種情報が送信される。一方、課金装置１２からは、複写機本体１１に対して、コピー許可やコピー不許可、投入金額などの各種情報が送信される。複写機本体１１は、送受信される各種情報によって、コピー可能状態または不可能状態に制御される。また、複写機本体１１の上面には、ユーザが置数（コピー部数）などの各種コピーモードを設定する際に使用する操作パネル１８が設けられている。
【００２０】
課金装置１２は、投入された金額とユーザが複写機本体１１の操作パネル１８で設定した各種コピーモードとから必要な金額を計算し、コピー可能であるか否かを判断し、コピー可能であればコピー許可信号を複写機本体１１に送信する。コピー許可信号が送られた複写機本体１１は、ユーザに対してコピー可能な状態に設定される。
【００２１】
ユーザが操作パネル１８上のコピースタートボタン（図示せず）を押すと、複写機本体１１は、所定のコピー動作を開始し、用紙が排紙トレイ１９に排出される時に課金装置１２に対して排出情報を送信する。この排出情報が送られた課金装置１２は、サイズやカラーなどのコピーモードによって予め定められた金額を減算する。そして、使用料金が順次減算され、残金額がコピーに必要な金額未満になると、課金装置１２は、コピー禁止信号を複写機本体１１に送信する。このコピー禁止信号によって複写機本体１１は、ユーザに対してコピー不可の状態に設定される。
【００２２】
なお、ここでは、コインを投入する形態の課金装置１２、すなわち、コインベンダーを例示したが、課金装置はこれに限定されるわけではない。例えば、金額情報を記憶したプリペイドカードなどの情報記憶媒体を挿入し、このカードに記憶されている残金情報によって料金管理を行う課金装置であってもよい。
【００２３】
また、この複写機１０は、ユーザが原稿をコピーする際に、ユーザの希望に応じて、読み取った原稿画像に広告画像である付加画像を付加して印刷し得る機能を有している。このように、原稿画像に広告画像を付加して印刷する場合には、ユーザに対する課金装置１２のほかに、複写機本体１１のメモリに第２の課金装置を備え、広告印刷を行った枚数を記録して、一定期間ごとにまとめて広告主に料金を請求するようにしている。
【００２４】
図２は、このような複写機１０による印刷形態の説明に供する図であり、同図（Ａ）は、原稿画像のみを印刷した場合、同図（Ｂ）は、原稿画像の余白部に広告画像を印刷した場合、同図（Ｃ）は、原稿画像を印刷した用紙の裏面または別の用紙に広告画像を印刷した場合をそれぞれ示している。
【００２５】
すなわち、この複写機１０は、図２（Ａ）に示すように、原稿画像のみを印刷するほかに、ユーザが希望すれば、図２（Ｂ）や図２（Ｃ）に示すように、原稿をコピーした用紙の余白部もしくは裏面または別の用紙に広告画像を印刷することができる。より詳細には、広告画像を印刷しない場合には、図２（Ａ）に示すように、原稿の画像がそのままコピー用紙に印刷され、また、余白部に広告画像を印刷する場合には、図２（Ｂ）に示すように、原稿画像の余白部分を自動的に検出して、その余白部分（図示例では、用紙下方部分）に広告画像を合成して印刷する。また、裏面または別用紙に広告画像を印刷する場合には、図２（Ｃ）に示すように、原稿画像を印刷した用紙の裏面または別の用紙にその全面にわたって広告画像を大きく印刷する。そして、広告印刷を行うか否か、広告印刷を行う場合には、さらに、その印刷形態、すなわち、余白部に印刷するか（余白広告）、裏面に印刷するか（裏面広告）、あるいは別用紙に印刷するか（合紙広告）は、ユーザが任意に設定できるようになっている。
【００２６】
図３は、図１の複写機１０において広告印刷を行う場合の一般的な処理手順を示す基本的なフローチャートである。
【００２７】
コンビニエンスストアなどに設置される上記の課金装置付き複写機１０では、来店する不特定多数のユーザが当該複写機１０に取り付けられた課金装置１２に料金を投入し（Ｓ１）、複写機本体１１の操作パネル１８により希望する各種コピーモードを自分で設定する（Ｓ２）。このとき、広告印刷に関する各種設定も行うことができる。
【００２８】
その後、ユーザがコピースタートボタンを押すと（Ｓ３）、原稿のコピー動作を行い（Ｓ４）、広告印刷を行うか否かを判断し（Ｓ５）、広告印刷を行う場合には（Ｓ５：ＹＥＳ）、広告印刷を行う（Ｓ６）。このとき、ステップ５の広告印刷を行うか否かの判断は、本実施形態のように、ステップ２のコピーモード設定時にユーザが設定した情報に基づく場合もあれば、他方で、コピー条件や装置環境などから装置が自動的に判断して広告印刷を行う場合もあり得る。また、ステップ６の広告印刷を行う場合には、複写機本体１１に複数の広告画像を予め記憶しておき、後述する方法によって自動的に選択された広告画像を、ユーザの設定に応じて、原稿をコピーした用紙の余白部に合成したり（余白広告）、該用紙の裏面に印刷したり（裏面広告）、該用紙とは別の用紙に印刷する（合紙広告）。
【００２９】
広告印刷を含む一連のコピー動作が終了すると、課金装置１２に投入された金額に対して前述した課金処理を行う（Ｓ７）。この場合の課金処理は、ユーザに対する課金であるが、広告を提供する広告主に対しても課金を行う。広告主に対する課金は、上記のように、広告主に一定期間ごとに一括で課金できるように複写機本体１１のメモリに広告印刷の記録をとることによって行う。
【００３０】
特に、本実施形態では、後で詳述するように、自動選択して印刷する広告の種類を、ユーザによって設定されたコピーモード（コピーの動作状況および／または設定条件）によって切り替えるようにしている。具体的には、置数（コピー部数）と原稿交換、カラーモードか否か（カラーコピーかモノクロコピーか）、カラーコピーの場合には、さらに、その詳細モードとして、例えば、通常モード、写真焼増しモード、拡大連写モード、またはブック分割モードか（以下「機能モード」と総称する）、また、例えば、文字、文字／写真、写真、または地図か（以下「原稿モード」と総称する）などを考慮して、選択し印刷する広告画像の種類を切り替えて、コピーを行ったユーザに対して適切な広告を印刷するとともに、ユーザがコピーを配布する場合には、それぞれの配布先に同じセットの広告（別の原稿には別の広告）を印刷して、コピー配布先に対しても適切な広告を提供するようにしている。
【００３１】
図４は、このような複写機１０の制御系の構成を示すブロック図である。
【００３２】
この複写機１０は、中継コネクタ１７および入出力インタフェース（Ｉ／Ｆ）２０、４０を介して相互に通信可能な複写機本体１１と課金装置１２とを備え、複写機本体１１の制御部２１には、複数のシート状原稿を自動的に１枚ずつプラテン（図示せず）上の原稿セット位置まで給送し、露光工程の終了後、再び自動的に排紙トレイ１９に原稿を収納する自動原稿給送装置（ＡＤＦ）２２と、原稿画像を読み取るイメージスキャナ部２３と、該イメージスキャナ部２３から出力される画像データの信号処理を行う信号処理部２４と、原稿画像に対応した画像を用紙に印刷するプリンタ部２５と、前記操作パネル１８とが接続されている。また、この制御部２１には、さらに、複数の広告画像を予め記憶する広告画像用メモリ２６、広告印刷した枚数や広告主に対する課金を累積して記憶する課金用メモリ２７、画像データを一時的に記憶したり画像を合成する時に使用される作業用メモリ２８、広告印刷した枚数などを積算するカウンタ２９などが接続されている。制御部２１は、複写機本体１１の各部の制御を司ると共に、課金装置１２との間の通信制御も司っている。
【００３３】
操作パネル１８には、コピー部数を設定する置数キー、原稿画像を印刷するカラーモード（カラーコピー／モノクロコピー）を設定するキー、機能モード（通常モード、写真焼増しモード、拡大連写モード、ブック分割モードなど）を設定するキー、原稿モード（文字、文字／写真、写真、地図など）を設定するキー、その他のコピーモード（例えば、両面コピー、拡大／縮小コピーなど）を選択または設定するキー、およびスタートキーなどからなる各種キー３２と、設定状態、印刷可能な広告の一覧、その他の各種情報を表示する、液晶ディスプレイなどからなる表示部３０とが配置され、さらに、この操作パネル１８の一部には、広告機能選択部３１が設けられている。
【００３４】
この広告機能選択部３１は、広告印刷を行うか否かを設定したり、広告印刷の形態を設定したりする際に、ユーザが操作するものである。具体的には、例えば、広告印刷を行うか否かを設定するキー、広告印刷を行う場合に余白広告、裏面広告、および合紙広告の中のどの形態で印刷するかを選択するキーなどが配置されている。なお、広告機能選択部３１のキーは、例えば、タッチパネル式のキーからなっている。この場合、タッチパネル式の広告機能選択部３１は、表示部３０またはその一部であってもよい。
【００３５】
なお、ここでは、印刷する広告画像を自動的に選択する場合を例示しているが、印刷可能な複数の広告画像（選択候補）を自動選別して表示して、その中からユーザが印刷すべき広告画像を選択する場合であってもよい。このとき、広告機能選択部３１には、ユーザが表示された複数の広告画像（選択候補）から所望の広告を選択するキーが配置される。
【００３６】
一方、課金装置１２の制御部４１には、前述した表示部１５が接続され、さらに、ユーザが投入した金額を読み取る投入金額読取部４２や、課金テーブルメモリ４３、コピー枚数やユーザに対する課金金額を累積して記憶する課金用メモリ４４などが接続されている。制御部４１は、課金装置１２の各部の制御を司ると共に、複写機本体１１との間の通信制御も司っている。
【００３７】
また、この複写機１０は、該複写機１０が設置されている店舗内の所定の場所（例えば、ユーザを目で確認できるレジなど）にある端末５０に接続されている。店員は、レジなどでこの端末５０を操作することで、現在の用紙残枚数やトナー残量などの複写機本体１１の状況、広告印刷の利用状況、広告主への請求額などを確認することができる。また、印刷する広告画像の種類を、ユーザの年齢や性別、職業などに応じて、店員が遠隔操作により手動で切り替えることも可能となっている。
【００３８】
なお、この複写機１０を、図示しないネットワークを介して、複数の店舗に設置されたこの種の複写機１０を一箇所で統括的に管理する管理施設内の端末に接続してもよい。この場合には、その管理施設において、各複写機１０の稼動状況を把握したり、各複写機１０から送られてきた広告主への課金情報を積算して広告主にまとめて請求したり、各複写機本体１１に記憶されている広告画像を遠隔操作により定期的に入れ替えたりすることができる。
【００３９】
以下、印刷する広告内容をコピーモードによって変更する際の種々の変更制御の具体例を順に説明する。なお、以下に示す各フローチャートは、図３に示す基本的フローチャートを適宜変更したものであって、便宜上、説明の省略が可能な部分については、簡単化のため、図示およびその説明を省略してある。
【００４０】
《実施例１》
図５のフローチャートに示す変更制御は、ＡＤＦ２２を使ったコピーにおいて、置数（コピー部数）が複数である場合に原稿の交換によって印刷（選択）する広告画像の種類を切り替える場合である。
【００４１】
ユーザは、ＡＤＦ２２に原稿をセットし（Ｓ１０１）、課金装置１２に料金を投入し（Ｓ１０２）、操作パネル１８を介して、希望する置数その他のコピーモード、広告印刷を行うか否かなどを自分で設定した後（Ｓ１０３）、コピースタートボタンを押す（Ｓ１０４）。
【００４２】
コピーがスタートすると、ＡＤＦ２２にセットされた原稿を１枚だけ複写機本体１１のプラテン上に搬送して、その原稿画像を読み取ると共に（Ｓ１０５）、複写機本体１１のメモリ２６に記憶されている複数の広告画像の中の１つを自動的に選択し（Ｓ１０６）、この選択された広告画像をステップ１０５で読み取った原稿画像に付加して出力（印刷）する（Ｓ１０７）。このとき、広告画像は、ユーザの設定に応じて、原稿の余白部などに合成される。
【００４３】
その後、ステップ１０３で設定された置数分の印刷がなされたか否かを判断し（Ｓ１０８）、ＹＥＳであればステップ１０９に進み、ＮＯであればステップ１０７に戻る。換言すれば、その後、同じ原稿を設定された置数分だけコピーするが、同じ原稿のコピーに対しては、同じ広告画像を印刷する。これは、同じ原稿を複数枚（複数部）コピーする場合には、他人に配布されるコピーの場合が多く、コピーを読む人がユーザ以外の別の（複数の）人である可能性が高いからである。
【００４４】
置数分の印刷が終了すると（Ｓ１０８：ＹＥＳ）、プラテン上にセットされた原稿を排出し（Ｓ１０９）、次の原稿がある場合には（Ｓ１１０：ＹＥＳ）、ステップ１０５に戻って、原稿を交換する。
【００４５】
原稿が交換されると、別の広告画像をセットし（Ｓ１０６）、原稿画像に付加して出力（印刷）する（Ｓ１０７）。このように、別の原稿には別の広告画像を印刷することで、１部のコピーに印刷される広告の種類が多くなるので、コピーが配布された場合に、たとえコピー配布先の人または人達の年齢や性別、職業などがそれぞれ異なっていたとしても、ユーザを含む複数の人達に複数の広告を効果的に提供することができる。
【００４６】
以上のステップ１０５〜ステップ１０９までの一連の動作は、ＡＤＦ２２にセットされた原稿がなくなるまで（Ｓ１１０：ＮＯ）、繰り返し行われる。
【００４７】
このように、置数（コピー部数）が複数である場合に原稿が交換されるごとに印刷する広告画像の種類を切り替えることで、置数分の各部に対してそれぞれ同じセットの複数の広告（別原稿には別広告）が印刷されるので、たとえコピーが配布されたとしても、コピーが配布された先にも一定の適切な広告効果を行うことができる。つまり、広告効果を高めることができる。
【００４８】
《実施例２》
図６のフローチャートに示す変更制御は、カラーモードによって印刷（選択）する広告画像の種類を切り替える場合である。
【００４９】
ユーザは、課金装置１２に料金を投入し（Ｓ２０１）、操作パネル１８を介して、希望するカラーモードその他のコピーモード、広告印刷を行うか否かなどを設定した後（Ｓ２０２）、コピースタートボタンを押す（Ｓ２０３）。
【００５０】
コピーがスタートすると、ステップ２０２で設定されたカラーモードがカラーコピー（フルカラー）であるか否かを判断し（Ｓ２０４）、設定されたカラーモードがカラーコピーであれば（Ｓ２０４：ＹＥＳ）、予め複写機本体１１のメモリ２６に記憶された２種類の広告画像Ａ1 、Ａ2 のうち、カラーコピー設定時用の広告画像Ａ1 を選択し（Ｓ２０５）、モノクロコピー（モノカラー）であれば（Ｓ２０４：ＮＯ）、モノクロコピー設定時用の広告画像Ａ2 を選択する（Ｓ２０６）。そして、ステップ２０５またはステップ２０６で選択された広告画像を読み取った原稿画像に付加して出力（印刷）する（Ｓ２０７）。ここで、上記した２種類の広告画像Ａ1 、Ａ2 は、それぞれ、カラーコピー、モノクロコピーに適した広告画像が用意され、記憶されている。
【００５１】
《実施例３》
図７のフローチャートに示す変更制御は、図６の変更制御の一バリエーションであって、カラーコピーかモノクロコピーかに加えて、カラーコピーの詳細モード（機能モード）をも考慮して、広くカラーモードによって印刷（選択）する広告画像の種類を切り替える場合である。
【００５２】
すなわち、ここでは、カラーモードにおいてユーザの設定し得るモードが、カラーコピーのモード（機能モードとして、通常モード、写真焼増しモード、拡大連写モード、ブック分割モードの４種類がある）と、モノクロコピーのモードとに分かれている場合において、選択されたカラーモードに応じて、予め記憶された複数の広告画像の中から１つを自動的に選択するようにしている。
【００５３】
例えば、広告として、ここでは、食品関係の広告画像（広告画像Ｂ1 ）、若い女性向けの広告画像（広告画像Ｂ2 ）、カラープリントの広告画像（広告画像Ｂ3 ）、書籍の広告画像（広告画像Ｂ4 ）、新聞の広告画像（広告画像Ｂ5 ）の５種類が予めメモリ２６に記憶されており、図７のフローチャートに示すように、ユーザの設定したカラーモード（機能モードを含む）に応じて、印刷する広告画像が自動的に選択される。例えば、写真焼増しモードは、いわゆるプリクラモードと呼ばれているモードであって、女子高生などの若い女性の利用が多いので、それに適したそれ用の広告（広告画像Ｂ2 ）を用意する。また、ブック分割モードは、学生の利用が多いと考えられるので、書籍の広告（広告画像Ｂ4 ）を用意する。
【００５４】
以上を図７のフローチャートに即して説明すると、まず、ユーザが設定したカラーモードがカラーコピーか否かを判断し（Ｓ３０１）、カラーコピーであれば（Ｓ３０１：ＹＥＳ）、さらに、その詳細モード（機能モード）を判断して（Ｓ３０２）、通常モードであれば、食品関係の広告画像（広告画像Ｂ1 ）を選択し（Ｓ３０３）、写真焼増しモード（プリクラモード）であれば、若い女性向けの広告画像（広告画像Ｂ2 ）を選択し（Ｓ３０４）、拡大連写モードであれば、カラープリントの広告画像（広告画像Ｂ3 ）を選択し、ブック分割モードであれば、書籍の広告画像（広告画像Ｂ4 ）を選択する（Ｓ３０６）。これに対し、カラーモードがモノクロコピーであれば（Ｓ３０１：ＮＯ）、新聞の広告画像（広告画像Ｂ5 ）を選択する（Ｓ３０７）。そして、ステップ３０３〜ステップ３０７で選択された広告画像を、読み取った原稿画像に付加して出力（印刷）する（Ｓ３０８）。
【００５５】
このように、機能モードを含めたカラーモードによってユーザの年齢や性別、職業などをある程度特定できる場合には、それに適した広告を用意して提供することによって、広告効果をさらに高めることができる。
【００５６】
《実施例４》
図８のフローチャートに示す変更制御は、図６の変更制御の他のバリエーションであって、カラーコピーかモノクロコピーかに加えて、カラーコピーの他の詳細モード（原稿モード）をも考慮して、広くカラーモードによって印刷（選択）する広告画像の種類を切り替える場合である。
【００５７】
すなわち、ここでは、カラーモードにおいてユーザの設定し得るモードが、カラーコピーのモード（原稿モードとして、文字、文字／写真、写真、地図の４種類がある）と、モノクロコピーのモードとに分かれている場合において、選択されたカラーモードに応じて、予め記憶された複数の広告画像の中から１つを自動的に選択するようにしている。
【００５８】
例えば、広告として、ここでは、週刊誌の広告画像（広告画像Ｃ1 ）、食品関係の広告画像（広告画像Ｃ2 ）、カラープリントの広告画像（広告画像Ｃ3 ）、旅行関係の広告画像（広告画像Ｃ4 ）、新聞の広告画像（広告画像Ｂ5 ）の５種類が予めメモリ２６に記憶されており、図８のフローチャートに示すように、ユーザの設定したカラーモード（原稿モードを含む）に応じて、印刷する広告画像が自動的に選択される。例えば、原稿が写真である場合には、ユーザはカラープリントに興味があると考えられるので、カラープリントの広告画像（広告画像Ｃ3 ）を用意し、原稿が地図である場合には、ユーザは旅行に興味があると考えられるので、旅行関係の広告画像（広告画像Ｃ4 ）を用意する。
【００５９】
以上を図８のフローチャートに即して説明すると、まず、ユーザが設定したカラーモードがカラーコピーか否かを判断し（Ｓ４０１）、カラーコピーであれば（Ｓ４０１：ＹＥＳ）、さらに、その詳細モード（原稿モード）を判断して（Ｓ４０２）、原稿モードが文字であれば、週刊誌の広告画像（広告画像Ｃ1 ）を選択し（Ｓ４０３）、文字／写真であれば、食品関係の広告画像（広告画像Ｃ2 ）を選択し（Ｓ４０４）、写真であれば、カラープリントの広告画像（広告画像Ｃ3 ）を選択し（Ｓ４０５）、地図であれば、旅行関係の広告画像（広告画像Ｃ4 ）を選択する（Ｓ４０６）。これに対し、カラーモードがモノクロコピーであれば（Ｓ４０１：ＮＯ）、新聞の広告画像（広告画像Ｃ5 ）を選択する（Ｓ４０７）。そして、ステップ４０３〜ステップ４０７で選択された広告画像を、読み取った原稿画像に付加して出力（印刷）する（Ｓ４０８）。
【００６０】
このように、原稿モードを含めたカラーモードによってユーザの趣味や興味の対象などをある程度特定できる場合には、それに適した広告を用意して提供することによって、広告効果をさらに高めることができる。
【００６１】
なお、本実施形態では、上記した所定のコピーモードによって印刷する広告画像の種類を自動的に変更する（切り替える）場合を例示したが、本発明は、これに限定されるわけではなく、印刷可能な複数の広告画像（選択候補）を自動選別して表示し、その中からユーザが印刷すべき広告画像を自分で選択する場合にも適用可能である。この場合には、上記した所定のコピーモードによって表示する広告画像（選択候補）の種類が変更される（切り替えられる）ことになる。
【００６４】
また、本願発明によれば、カラー印刷のモードが設定されている場合には、さらに、利用者によって設定されたカラー印刷の詳細モードに応じて、印刷すべき広告画像または表示部に表示される広告画像の種類を選択するので、利用者によって設定された所定の機能モードによって利用者の年齢や性別、職業などをある程度特定できる場合（請求項２記載の発明の場合）や、利用者によって設定された所定の原稿モードによって利用者の趣味や興味の対象などをある程度特定できる場合（請求項４記載の発明の場合）には、ユーザに最適な広告画像が選択される可能性が高くなり、広告効果をさらに高めることができる。
【図面の簡単な説明】
【図１】  本発明の一実施の形態に係る画像形成装置の全体構成を示す斜視図である。
【図２】  図１の画像形成装置による印刷形態の説明に供する図である。
【図３】  図１の画像形成装置において広告印刷を行う場合の一般的な処理手順を示す基本的なフローチャートである。
【図４】  図１の画像形成装置の制御系の構成を示すブロック図である。
【図５】  ＡＤＦを使ったコピーにおいて置数が複数である場合に原稿の交換によって広告画像の種類を切り替える制御の処理手順を示すフローチャートである。
【図６】  カラーモードによって広告画像の種類を切り替える制御の処理手順を示すフローチャートである。
【図７】  機能モードを含むカラーモードによって広告画像の種類を切り替える制御の処理手順を示すフローチャートである。
【図８】  原稿モードを含むカラーモードによって広告画像の種類を切り替える制御の処理手順を示すフローチャートである。
【符号の説明】
１０…課金装置付き複写機（画像形成装置）、
１１…複写機本体、
１２…課金装置、
１８…操作パネル、
２１…複写機本体の制御部、
２２…ＡＤＦ、
２６…広告画像用メモリ。
【図１】
0003855541.tif 000002
【図２】
0003855541.tif 000003
【図３】
0003855541.tif 000004
【図４】
0003855541.tif 000005
【図５】
0003855541.tif 000006
【図６】
0003855541.tif 000007
【図７】
0003855541.tif 000008
【図８】
0003855541.tif 000009